(57)【特許請求の範囲】
【請求項１】
ピット内に廃棄物を搬入する廃棄物搬入装置であって、
前記ピットの中心部に一端が回転自在に支持され、他端が前記ピットの開口の周囲地盤に旋回自在に支持されるとともに、前記ピットの開口の周囲地盤に設けられた廃棄物を搬入する車両を進入させるための廃棄物搬入台よりも低い位置に設置される走行部材と、該走行部材の長手方向に移動可能な台車と、該台車に設けられるとともに、投入口が前記台車の上面側に開口するホッパーと、該台車に搭載された巻上ドラムを有する巻上機と、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記バケットは角筒状のバケット上部を有し、当該バケット上部の４隅にそれぞれシーブが設けられ、
前記台車側には前記走行部材の軸線方向の両側にシーブが１つずつ設けられ、
前記台車の移動方向の前後に前記巻上ドラムがそれぞれ設けられ、各巻上ドラムには、前記軸線方向の両側のそれぞれにおいて１本のワイヤが、一端側及び他端側から巻上、繰出可能に巻回され、各巻上ドラムから繰出された各ワイヤが、前記軸線方向の両側のそれぞれにおいて、前記バケット側に設けられた２つのシーブと前記台車側に設けられた１つのシーブとの間に架け渡されていることを特徴とする廃棄物搬入装置。
【請求項２】
ピット内に廃棄物を搬入する廃棄物搬入装置であって、
前記ピットの開口の周囲地盤に設けられるとともに、先端が前記ピットの内方に延出する架台と、前記ピットの内面に設けられるとともに、前記ピットの開口の周囲地盤に設けられた廃棄物を搬入するための車両を進入させる廃棄物搬入台と略同一高さに投入口が開口するホッパーと、前記架台のピットの内方に延出する部分に設けられる巻上ドラムを有する巻上機と、前記ホッパーの下方に設けられるとともに、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記バケットは角筒状のバケット上部を有し、当該バケット上部の４隅のそれぞれにシーブが設けられ、
前記架台の前記ピットの内方に延出する部分の両側には、前記巻上ドラムが前記廃棄物搬入台への車両の進入方向に平行となるようにそれぞれ設けられると共に、各巻上ドラムに対応する側にそれぞれ１つのシーブが設けられ、各巻上ドラムには１本のワイヤが一端側及び他端側から巻上、繰出可能に巻回され、各巻上ドラムから繰出された各ワイヤが、前記バケットの当該巻上ドラムと同じ側に設けられた２つのシーブと，前記架台の当該巻上ドラムと同じ側に設けられた１つのシーブとの間に架け渡されていることを特徴とする廃棄物搬入装置。
【請求項３】
ピット内に廃棄物を搬入する廃棄物搬入装置であって、
前記ピットの中心部に一端が回転自在に支持され、他端が前記ピットの開口の周囲地盤に旋回自在に支持されるとともに、前記ピットの開口の周囲地盤に設けられた廃棄物を搬入する車両を進入させるための廃棄物搬入台よりも低い位置に設置される走行部材と、該走行部材の長手方向に移動可能な台車と、該台車に設けられるとともに、投入口が前記台車の上面側に開口するホッパーと、該台車に搭載された巻上ドラムを有する巻上機と、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記ピットの中心部に設けられた建屋の支柱は、下部支柱と、それより上方に位置して前記下部支柱より細い上部支柱とを有し、前記下部支柱と前記上部支柱との間に形成された段差部に軸受が支持され、
前記走行部材は、一端が前記軸受により回転自在に支持されていることを特徴とする廃棄物搬入装置。
【請求項４】
請求項１に記載の廃棄物搬入装置であって、
前記ピットの中心部に設けられた建屋の支柱は、下部支柱と、それより上方に位置して前記下部支柱より細い上部支柱とを備え、前記下部支柱と前記上部支柱との間に形成された段差部に軸受が支持され、
前記走行部材は、一端が前記軸受により回転自在に支持されていることを特徴とする廃棄物搬入装置。
【発明の詳細な説明】
【技術分野】
【０００１】
本発明は、廃棄物搬入装置に関し、特に、車両によって廃棄物処分場に搬入した廃棄物を車両から受け取り、廃棄物処分場のピット内に埋め立て処分するバケットを備えた廃物搬入装置に関する。
【背景技術】
【０００２】
廃棄物を廃棄物処分場に投入する方法として、廃棄物を積載した車両を場内道路を利用して廃棄物処分場のピット内に進入させ、ピット内の投入位置に車両の荷台から廃棄物を直接に投入するダンピング方式、廃棄物を積載した車両をピットの開口の周囲地盤に進入させ、車両の荷台からピット内に廃棄物を直接に投入するスライダー方式、トンバックを積載した車両をピットの開口の周囲地盤に進入させ、車両の荷台からトンバックをピット内に直接に投入する方式等がある。
【０００３】
しかし、搬入道路を利用して車両をピット内に進入させ、ピットの投入位置に車両から廃棄物を投入する方法では、搬入道路の分だけピットの容積が減少し、廃棄物の埋め立て可能な容積が減少してしまう。また、車両から廃棄物やトンバックをピット内へ直接に投入する方法では、大量の粉塵が発生するために作業環境が悪化したり、投入した廃棄物やトンバックによってピットの遮水工に傷等が付くおそれがある。
【０００４】
一方、上記のような問題に対処するため、特許文献１の図５には、廃棄物処分場のピット内に支持ブロックを立設し、この支持ブロックとピットの開口の周囲地盤との間に走行部材を架設し、走行部材の両端を支持ブロックの上部に設けたレール上、及びピットの開口の周囲地盤に設けたレール上に、走行部材側に設けた車輪を介して走行可能に支持し、さらに、走行部材の長手方向に移動可能にホッパーを搭載した廃棄物搬入装置が提案されている。
【０００５】
また、同文献の図６には、上記の走行部材にホッパー昇降手段を設け、このホッパー昇降手段によってホッパーを昇降させせるように構成した廃棄物搬入装置が提案されている。
【０００６】
さらに、同文献の図９には、走行部材を門型形状とし、この門型形状の水平片に図６に記載のホッパー昇降手段を用いてホッパーを取り付け、ホッパー昇降手段によってホッパーを昇降させるように構成した廃棄物搬入装置が提案されている。
【先行技術文献】
【特許文献】
【０００７】
【特許文献１】特開２００４−２１０５３９号公報
【発明の概要】
【発明が解決しようとする課題】
【０００８】
上記のような構成の廃棄物搬入装置にあっては、搬入道路を設置する必要がないので、搬入道路によって廃棄物を埋め立て処分するピットの容積が減少するようなことはない。しかし、図５に示す方式では、ホッパーからピット内に直接に廃棄物を投入しているため、大量の粉塵が発生し、作業環境が悪化する。図６、図９に示す方式では、ホッパー昇降手段によってホッパーをピットの投入位置近傍まで下降させることができるので、図５に示す方式のように、粉塵が大量に発生することはなく、作業環境が悪化することもない。しかし、ピットの開口の周囲地盤に進入した車両からホッパーに廃棄物を受け取る場合に、ホッパー昇降手段が障害となるため、直接車両からホッパーに廃棄物を投入することができない。
さらに、門型方式の走行部材は、ピットの開口を覆う建屋の軒高を高くしなければならないため、建屋の建設に費用がかかる。
さらに、廃棄物を種類毎に分けて埋め立てることができないため、将来、埋め立てた廃棄物を種類毎に分けて取り出し、再利用することができない。
【０００９】
本発明は、上記のような従来の問題に鑑みなされたものであって、ピットの容積が搬入道路によって減少するようなことはなく、また、ピット内に廃棄物を投入する際に大量の粉塵が発生することもなく、さらに、車両に積載した廃棄物を効率良く受け取ってピット内に投入することができ、さらに、将来、埋め立てた廃棄物を種類毎に分けて取り出し、再利用することができる、廃棄物搬入装置を提供することを目的とする。
【課題を解決するための手段】
【００１０】
上記のような課題を解決するために、本発明は、以下のような手段を採用している。
すなわち、本発明は、  ピット内に廃棄物を搬入する廃棄物搬入装置であって、
前記ピットの中心部に一端が回転自在に支持され、他端が前記ピットの開口の周囲地盤に旋回自在に支持されるとともに、前記ピットの開口の周囲地盤に設けられた廃棄物を搬入する車両を進入させるための廃棄物搬入台よりも低い位置に設置される走行部材と、該走行部材の長手方向に移動可能な台車と、該台車に設けられるとともに、投入口が前記台車の上面側に開口するホッパーと、該台車に搭載された巻上ドラムを有する巻上機と、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記バケットは角筒状のバケット上部を有し、当該バケット上部の４隅にそれぞれシーブが設けられ、
前記台車側には前記走行部材の軸線方向の両側にシーブが１つずつ設けられ、
前記台車の移動方向の前後に前記巻上ドラムがそれぞれ設けられ、各巻上ドラムには、前記軸線方向の両側のそれぞれにおいて１本のワイヤが、一端側及び他端側から巻上、繰出可能に巻回され、各巻上ドラムから繰出された各ワイヤが、前記軸線方向の両側のそれぞれにおいて、前記バケット側に設けられた２つのシーブと前記台車側に設けられた１つのシーブとの間に架け渡されていることを特徴とする。
【００１１】
本発明の廃棄物搬入装置によれば、廃棄物搬入台にダンプトラック等の車両を進入させ、ダンプトラック等の車両からホッパーを介して廃棄物搬入用のバケット内に廃棄物を受け取り、走行部材をピットの周方向に旋回させるとともに、走行部材に沿って台車及び巻上機を一体に移動させることにより、巻上機の巻上ドラムにワイヤによって吊り下げられた廃棄物搬入用のバケットをピットの廃棄物の投入位置の上方に位置決めする。そして、巻上機を作動させて巻上ドラムからワイヤを繰り出して廃棄物搬入用のバケットを下降させ、廃棄物搬入用のバケットを廃棄物の投入位置の上方の所定の高さに位置決めし、その位置において、廃棄物搬入用のバケットを開くことによって廃棄物をピット内に投入する。そして、このような作業を繰り返し行うことにより、ピットの全体に廃棄物を埋め立て処分することができる。
従って、ダンプトラック等の車両からピット内に直接に廃棄物を投入する場合のように、大量の粉塵が発生して作業環境が悪化するようなことはない。また、ピット内に搬入道路を設置する必要がないので、ピットの容積が搬入道路によって減少するようなことはない。さらに、廃棄物搬入用のバケットは、廃棄物搬入台よりも低い位置に位置する走行部材の上面側に投入口が開口するホッパーの下方に設けられ、しかも、走行部材に台車を介して搭載された巻上機の巻上ドラムにワイヤによって４点で吊り下げられているので、廃棄物搬入台に進入させたダンプトラック等の車両からホッパーを介して廃棄物搬入用のバケット内に廃棄物を受け取ることができる。従って、ダンプトラック等の車両からバケットに廃棄物を受け取る際に、ダンプトラック等の車両とワイヤとが接触するようなことはなく、廃棄物の搬入作業の効率を高めることができる。
さらに、廃棄物搬入用のバケットをピット内の所定の位置に位置決めすることができるので、廃棄物を種類毎に分けてピット内の所定の位置に埋め立てることができ、将来、埋め立てた廃棄物を種類毎に分けて取り出し、再利用することが可能となる。
【００１２】
また、本発明は、ピット内に廃棄物を搬入する廃棄物搬入装置であって、
前記ピットの中心部に一端が回転自在に支持され、他端が前記ピットの開口の周囲地盤に旋回自在に支持されるとともに、前記ピットの開口の周囲地盤に設けられた廃棄物を搬入する車両を進入させるための廃棄物搬入台よりも低い位置に設置される走行部材と、該走行部材の長手方向に移動可能な台車と、該台車に設けられるとともに、投入口が前記台車の上面側に開口するホッパーと、該台車に搭載された巻上ドラムを有する巻上機と、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記ピットの中心部に設けられた建屋の支柱は、下部支柱と、それより上方に位置して前記下部支柱より細い上部支柱とを有し、前記下部支柱と前記上部支柱との間に形成された段差部に軸受が支持され、
前記走行部材は、一端が前記軸受により回転自在に支持されていることを特徴とする。
【００１３】
本発明の廃棄物搬入装置によれば、ピットの中心部に設置されている建屋の支柱を利用し、この支柱に走行部材の一端を回転自在に支持することができるので、ピットの中心部にセンターシャフトを新たに設置する必要はなく、建設費用を大幅に削減することができる。
【００１５】
さらに、本発明は、ピット内に廃棄物を搬入する廃棄物搬入装置であって、
前記ピットの開口の周囲地盤に設けられるとともに、先端が前記ピットの内方に延出する架台と、前記ピットの内面に設けられるとともに、前記ピットの開口の周囲地盤に設けられた廃棄物を搬入するための車両を進入させる廃棄物搬入台と略同一高さに投入口が開口するホッパーと、前記架台のピットの内方に延出する部分に設けられる巻上ドラムを有する巻上機と、前記ホッパーの下方に設けられるとともに、前記巻上ドラムに巻上、繰出可能に巻回されたワイヤによって４点で吊り下げられ、該ワイヤの巻上、繰出に追従して上下方向に移動可能であり、かつ開閉可能な廃棄物搬入用のバケットとを備え、
前記バケットは角筒状のバケット上部を有し、当該バケット上部の４隅のそれぞれにシーブが設けられ、
前記架台の前記ピットの内方に延出する部分の両側には、前記巻上ドラムが前記廃棄物搬入台への車両の進入方向に平行となるようにそれぞれ設けられると共に、各巻上ドラムに対応する側にそれぞれ１つのシーブが設けられ、各巻上ドラムには１本のワイヤが一端側及び他端側から巻上、繰出可能に巻回され、各巻上ドラムから繰出された各ワイヤが、前記バケットの当該巻上ドラムと同じ側に設けられた２つのシーブと，前記架台の当該巻上ドラムと同じ側に設けられた１つのシーブとの間に架け渡されていることを特徴とする。
【００１６】
本発明の廃棄物搬入装置によれば、廃棄物搬入台にダンプトラック等の車両を進入させ、車両からホッパーを介して廃棄物搬入用のバケット内に廃棄物を受け取り、巻上機を作動させて巻上ドラムからワイヤを繰り出して廃棄物搬入用のバケットを下降させ、廃棄物搬入用のバケットを投入位置の上方の所定の高さに位置決めする。そして、その位置において、廃棄物搬入用のバケットを開くことによって廃棄物をピット内に投入する。そして、このような作業を繰り返し行うことにより、ピットの全体に廃棄物を埋め立て処分することができる。
従って、ダンプトラック等の車両からピット内に直接に廃棄物を投入する場合のように、大量の粉塵が発生して作業環境が悪化するようなことはない。また、ピット内に搬入道路を設置する必要がないので、ピットの容積が搬入道路によって減少するようなことはない。さらに、廃棄物搬入用のバケットは、投入口が廃棄物搬入台と略同一高さに開口するホッパーの下方に設けられ、しかも、架台のピットの内方に延出する部分に設けられた巻上機の巻上ドラムにワイヤによって４点で吊り下げられているので、廃棄物搬入台に進入させたダンプトラック等の車両からホッパーを介して廃棄物搬入用のバケット内に廃棄物を受け取ることができる。従って、廃棄物の搬入作業の効率を高めることができる。
【００１８】
さらに、本発明の廃棄物搬入装置によれば、架台のピットの内方に延出する部分の両側に、廃棄物搬入台への車両の進入方向と平行となるように巻上ドラムが設けられ、この巻上ドラムに巻上、繰出可能に巻回されたワイヤによって廃棄物搬入用のバケットが４点で吊り下げられているので、廃棄物搬入台に進入させたダンプトラック等の車両から廃棄物ホッパーを介して廃棄物搬入用のバケットに受け取る際に、ダンプトラック等の車両とワイヤとが接触することはなく、廃棄物の搬入作用を効率良く行うことができる。
【発明の効果】
【００１９】
以上、説明したように、本発明の廃棄物搬入装置によれば、大量の粉塵を発生させることなく、廃棄物をピット内に埋め立て処分することができる。また、ピット内に搬入道路を設置する必要がないので、搬入道路によってピットの容積が減少するようなことはない。
さらに、廃棄物搬入用のバケットは、廃棄物搬入台よりも低い位置に位置する走行部材の上面側に投入口が開口するホッパーの下方に設けられ、しかも、走行部材に台車を介して搭載された巻上機の巻上ドラムにワイヤによって４点で吊り下げられているので、廃棄物搬入台に進入させたダンプトラック等の車両からホッパーを介して廃棄物搬入用のバケット内に廃棄物を受け取ることができる。従って、ダンプトラック等の車両から廃棄物搬入用のバケットに廃棄物を受け取る際に、ダンプトラック等の車両とワイヤとが接触するようなことはなく、廃棄物の搬入作業の効率を高めることができる。さらに、廃棄物搬入用のバケットは、投入口が廃棄物搬入台と略同一高さに開口するホッパーの下方に設けられ、しかも、架台のピットの内方に延出する部分に設けられた巻上機の巻上ドラムにワイヤによって４点で吊り下げられているので、廃棄物搬入台に進入させたダンプトラック等の車両からホッパーを介して廃棄物搬入用のバケット内に廃棄物を受け取ることができる。従って、廃棄物の搬入作業の効率を高めることができる。さらに、廃棄物搬入用のバケットをピット内の所定の位置に位置決めすることができるので、廃棄物を種類毎に分けてピット内の所定の位置に埋め立てることができ、将来、埋め立てた廃棄物を種類毎に分けて取り出し、再利用することが可能となる。
【図面の簡単な説明】
【００２０】
【図１】本発明による廃棄物搬入装置の第１の実施の形態の正面図である。
【図２】図１に平面図である。
【図３】図１の部分拡大図である。
【図４】図３の右側面図である。
【図５】ガータの支持部の変形例を示した部分拡大図である。
【図６】本発明による廃棄物搬入装置の第２の実施の形態の正面図である。
【図７】図６の左側面図である。
【図８】図６の平面図である。
【図９】図６の部分拡大図である。
【図１０】図７の部分拡大図である。
【図１１】巻上ドラムとワイヤとの関係の変形例を示した概略図である。
【発明を実施するための形態】
【００２１】
以下、図面を参照しながら本発明の実施の形態について説明する。
図１〜図４には、本発明による廃棄物搬入装置の第１の実施の形態が示されている。本実施の形態の廃棄物搬入装置１は、廃棄物処分場５０に廃棄物を埋め立て処分するのに有効なものである。
【００２２】
廃棄物処分場５０は、図１に示すように、地表面に開口する円筒状のピット５１と、ピット５１の上部開口を覆う建屋５６とを備え、ピット５１の中心部に設けられた建屋５６を支持する支柱５５とピット５１の開口の周囲地盤５２との間に、本実施の形態の廃棄物搬入装置１が旋回可能に架設されている。
【００２３】
本実施の形態の廃棄物搬入装置１は、旋回式クレーン１であって、図１及び図２に示すように、支柱５５とピット５１の開口の周囲地盤５２との間に旋回可能に架け渡される走行部材としてのガータ３と、ガータ３の上部に長手方向に移動可能に搭載される台車としてのトロリ１１と、トロリ１１に設けられてトロリ１１と一体に移動可能な巻上機としてのウインチ２０と、ウインチ２０によって上下方向に移動可能に支持される廃棄物搬入用のバケット（以下、バケット本体３０という。）とを備えている。
【００２４】
ガータ３は、互いに平行をなすように間隔をおいて設けられる一対のビーム部材４、４と、両ビーム部材４、４の長手方向の両端間を連結する連結部材６とからなり、両ビーム部材４、４間にガータ３の長手方向に延びる開口７が設けられ、この開口７内にトロリ１１に設けられた後述するホッパー１６がトロリ１１と一体に移動可能に設けられ、このホッパー１６の下方にバケット本体３０が昇降可能に設けられている。
【００２５】
ガータ３は、長手方向の一端が支柱５５の中央部に軸受８を介して回転可能に支持され、他端がピット５１の開口周縁部５２に設けられたレール９及びレール９上を転動可能なガータ３の他端に設けられた車輪１０によって旋回可能に支持され、駆動源によって車輪１０を回転させてレール９上を転動させることにより、ガータ３を支柱５５を中心としてピット５１の周方向に旋回させることができる。
【００２６】
この場合、支柱５５は、周囲地盤５２よりも下方に位置する下部支柱５５ａと、それよりも上方に位置する下部支柱５５ａよりも細い上部支柱５５ｂの２段に形成され、下部支柱５５ａの上部が軸受８を支持する軸受支持台５５ｃに構成され、この軸受支持台５５ｃの上部に軸受８を介してガータ３の長手方向の一端が回転可能に支持されている。
なお、図５に示すように、支柱５５の下部支柱５５ａの周面にアングル材等からなるＬ形状の軸受支持台５５ｄをアンカーボルト５５ｅによって固定し、この軸受支持台５５ｅの上部に軸受８を介してガータ３の長手方向の一端を回転可能に支持するように構成してもよい。
【００２７】
ガータ３は、ピット５１の開口の周囲地盤５２に設けられた廃棄物搬入台５４の上部よりも低い位置に設置され、廃棄物搬入台５４の上部に進入した車両（ダンプトラック６５）からガータ３の開口７内に配置されたホッパー１６に向けて廃棄物を投入可能に構成されている。
【００２８】
ガータ３の各ビーム部材４の上部には、各ビーム部材４の略全長に亘ってレール５が敷設され、このレール５上にトロリ１１がガータ３の長手方向に移動可能に搭載されている。トロリ１１は、図３及び図４に示すように、各レール５上に移動可能に搭載される一対のサドル１２、１２を有し、両サドル１２、１２の移動方向の前後に後述するウインチ２０の巻上ドラム２１、２１がそれぞれ回転可能に設けられ、両サドル１２、１２と両巻上ドラム２１、２１とによって囲まれる部分に四角形状の開口１５（図２参照）が設けられている。
【００２９】
各サドル１２は、サドル本体１３と、サドル本体１３の前後に回転可能に設けられるとともに、各レール５上を転動可能な一対の車輪１４、１４と、車輪１４、１４を回転させる駆動源とを備え、駆動源によって各サドル１２の車輪１４、１４を回転させることにより、トロリ１１をガータ３の長手方向に移動させることができる。
【００３０】
トロリ１１の開口１５には、廃棄物を投入するための角筒状のホッパー１６（図１及び図４参照）が設けられ、トロリ１１と一体に移動可能に構成されている。ホッパー１６の上端には、ピット５１の開口の周囲地盤５２側の面が傾斜面に形成された投入口１７が設けられている。
【００３１】
ウインチ２０は、トロリ１１の両サドル１２、１２の移動方向の前端間及び後端間に回転可能に設けられる一対の円筒状の巻上ドラム２１、２１と、各巻上ドラム２１の両端を各サドル１２に回転可能に支持する軸受２２と、各巻上ドラム２１を回転させる駆動源と、各巻上ドラム２１に繰出、巻上可能に巻回される１本のワイヤ２３とを備えている。
【００３２】
各ワイヤ２３は、一端側が各巻上ドラム２１の中央よりも左側の部分（図４の左側の部分）に繰出、巻上可能に巻回され、他端側が中央よりも右側の部分（図４の右側の部分）に繰出、巻上可能に巻回され、両ワイヤ２３、２３の両巻上ドラム２１、２１から繰出された中央部分にバケット本体３０が吊り下げられている。
【００３３】
バケット本体３０は、ホッパー１６の下端よりも一回り大きく形成される角筒状のバケット上部３１と、バケット上部３１の下端に開閉自在に設けられるバケットゲート３２と、バケットゲート３２を開閉させるアクチュエータとしての油圧シリンダ４０と、油圧シリンダ４０の駆動源とを備え、駆動源によって油圧シリンダ４０を作動させることにより、バケットゲート３２を図中矢印方向に開閉させることができる。
【００３４】
バケットゲート３２は、上部が開口するカップ状のものを図中左右に２つ割りにして、各半部３３をヒンジ３５によってバケット上部３１の下端に図３中矢印方向に回転自在に連結するとともに、各半部３３とバケット上部３１の下端との間に油圧シリンダ４０を設けたものである。バケットゲート３２の各油圧シリンダ４０を作動させて、各半部３３をヒンジ３５を中心として図中矢印方向に回転させることにより、各半部３３を開閉させることができ、両半部３３、３３からなるバケットゲート３２を開閉させることができる。
【００３５】
バケット本体３０のバケット上部３１の上部の四隅には、図３及び図４に示すように、４つのシーブ４２が回転自在に設けられ、図３中左側（図４の手前側）の２つのシーブ４２とその上方の巻上ドラム２１側に設けられた１つのシーブ４３との間に、その巻上ドラム２１から繰出されたワイヤ２３の部分が掛け渡され、図３中右側（図４の奥側）の２つのシーブ４２とその上方の巻上ドラム２１側に設けられたシーブ４３との間に、その巻上ドラム２１から繰出されたワイヤ２３の部分が掛け渡されている。
【００３６】
これにより、バケット本体３０の移動方向（トロリ１１の移動方向）の前方側の２点と後方側の２点の４点が両巻上ドラム２１、２１から繰り出した２本のワイヤ２３、２３に吊り下げられ、両巻上ドラム２１、２１の両ワイヤ２３、２３の巻上、又は繰出に追従して、４点でバケット本体３０を巻上げ、繰出すことができ、バケット本体３０を上昇又は下降させることができる。
【００３７】
上記のように構成した本実施の形態の廃棄物搬入装置１によって廃棄物をピット５１内に搬入するには、図１及び図２に示すように、ガータ３を支柱５５を中心としてピット５１の周方向に旋回させて、ガータ３を廃棄物搬入台５４の延長線上に位置決めし、トロリ１１をガータ３に沿って移動させることにより、トロリ１１、ホッパー１６、及びバケット本体３０をガータ３の廃棄物搬入台５４に隣接する位置（受け取り位置）に位置決めする。
【００３８】
次に、受け取り位置において、ウインチ２０の駆動源によって両巻上ドラム２１、２１を回転させて、両巻上ドラム２１、２１にワイヤ２３、２３を巻上げてバケット本体３０を上昇させることにより、バケット本体３０のバケット上部３１の上端をホッパー１６の下端に密着させる。なお、この場合、油圧シリンダ４０を作動させることにより、バケット本体３０の両半部３３、３３を閉じた状態としておく。
【００３９】
次に、廃棄物搬入台５４上に車両（ダンプトラック６５）を進入させ、ダンプトラック６５の荷台を傾斜させることにより、荷台からホッパー１６の投入口１７に廃棄物を落とし込み、投入口１７からホッパー１６を介してバケット本体３０内に廃棄物を受け取る。
【００４０】
次に、ガータ３を支柱５５を中心として旋回させて、ピット５１の周方向に旋回させるとともに、ガータ３に沿ってトロリ１１を移動させることにより、バケット本体３０をピット５１の廃棄物の投入位置に位置決めする。そして、その位置において、ウインチ２０の駆動源によって両巻上ドラム２１、２１を回転させて、両巻上ドラム２１、２１から両ワイヤ２３、２３を繰り出すことによりバケット本体３０を下降させ、油圧シリンダ４０を作動させることによってバケット本体３０を開き、バケット本体３０の内部の廃棄物をピット５１に投入する。
【００４１】
そして、廃棄物の投入後に、油圧シリンダ４０を作動させることによってバケット本体３０を閉じ、ウインチ２０の駆動源によって両巻上ドラム２１、２１を回転させることにより、両巻上ドラム２１、２１に両ワイヤ２３、２３を巻上げ、バケット本体３０を上昇させてバケット本体３０の支持部３１の上端をホッパー１６の下端に密着させる。
【００４２】
そして、トロリ１１をガータ３に沿って移動させるとともに、ガータ３を支柱５５を中心として旋回させて、バケット本体３０を廃棄物受け取り位置に戻す。
【００４３】
そして、上記のようなダンプトラック６５から廃棄物をバケット本体３０に受け取り、バケット本体３０をピット５１の投入位置に位置決めして、バケット本体３０から投入位置に廃棄物を投入する作業を繰り返し行うことにより、ピット５１内の全体に廃棄物を埋め立て処分することができる。
【００４４】
上記のように構成した本実施の形態の廃棄物搬入装置１にあっては、ダンプトラック６５からバケット本体３０に廃棄物を受け取り、バケット本体３０をピット５１の投入位置まで移動させて、投入位置においてバケット本体３０を開閉させることにより、投入位置に廃棄物を投入しているので、ダンプトラック６５から直接にピット５１内に廃棄物を投入する場合のように大量の粉塵が発生するようなことはなく、作業環境が悪化するようなことはない。
【００４５】
また、バケット本体３０をピット５１の廃棄物の投入位置まで移動させてから、バケット本体３０から投入位置に廃棄物を投入しているので、ダンプトラック６５からピット５１内に廃棄物を直接に投入する場合のように、ピット５１の遮水工に傷等をつけるようなこともない。
【００４６】
さらに、ピット５１内に廃棄物を搬入するために、ダンプトラック６５を進入させる道路を建設する必要がないので、搬入道路によってピット５１の廃棄物を埋め立て処分する容積が減少することもない。
【００４７】
さらに、建屋５６を支持する支柱５５を利用し、この支柱５５に軸受８を介してガータ３を回転自在に支持しているので、ガータ３を支持するために、ピット５１の中心部に新たにセンターシャフトを設置する必要がないので、廃棄物搬入装置１の設置に要する費用を大幅に削減することができる。
【００４８】
さらに、ガータ３を廃棄物搬入台５４よりも低い位置に設置しているので、建屋５６の軒高を低くすることができ、建屋５６の建設に要する費用を大幅に削減することができる。
【００４９】
さらに、ガータ３を廃棄物搬入台５４よりも低い位置に設置し、このガータ３の上面側にホッパー１６の投入口１７を開口させ、このホッパー１６の下方にバケット本体３０を設け、バケット本体３０をトロリ１１に搭載したウインチ２０の巻上ドラム２１、２１に巻上、繰出可能に巻回したワイヤ２３に４点で吊り下げたので、ダンプトラック６５から廃棄物を投入口１７、ホッパー１６を介してバケット３０に受け取る際に、ワイヤ２３とダンプトラック６５とが接触するようなことはなく、廃棄物の搬入作業を効率良く行うことができる。
【００５０】
さらに、バケット３０からのピット５１内への廃棄物の投入位置を平面的に把握することができるので、ピット５１内に埋め立て処分した廃棄物を将来的に取り出して再利用するような場合に、種類毎に分けて廃棄物を取り出すことができるので、廃棄物の再利用化が可能になるとともに、廃棄物を取り出したピット５１を廃棄物の埋め立て処分に再利用することができるので、ピット５１の延命化を図ることもできる。
【００５１】
図６〜図１０には、本発明による廃棄物搬入装置の第２の実施の形態が示されている。本実施の形態の廃棄物搬入装置２は、ピット５１の開口の周囲地盤５２に設置したエレベータ式クレーン２を備えている。
【００５２】
エレベータ式クレーン２は、図６〜図８に示すように、ピット５１の開口の周囲地盤５２に設置される架台５７と、架台５７に設けられる巻上機としてのウインチ２０と、ウインチ２０によって上下方向に移動可能に支持される廃棄物搬入用のバケット（以下、バケット本体３０という。）とを備えている。
【００５３】
ピット５１の開口の周囲地盤５２には、スロープ付きの廃棄物搬入台５４が一体に設けられ、この廃棄物搬入台５４の上部に架台５７が設置されている。架台５７は、廃棄物搬入台５４の上部に立設される４本の支柱５８と、４本の支柱５８のうちの左右の前後に配置される２本の支柱５８ａ、５８ｂの上部間にそれぞれ架け渡されるとともに、各々の先端がピット５１の内方に所定の長さ延出する２本のビーム部材５９、５９と、両ビーム部材５９、５９の前端間、及び後端間を連結する２本の連結部材６０、６０とから構成されている。
【００５４】
ピット５１の開口の周囲地盤５２に設けられた廃棄物搬入台５４の内面側のピット５１側には、角筒状のホッパー６１が一体に設けられるとともに、このホッパー６１の下方に後述するバケット本体３０が上下方向に移動可能に設けられている。ホッパー６１の上端には、ピット５１の開口の周囲地盤５２側が傾斜する投入口６２が設けられ、廃棄物搬入台５４の上部に進入したダンプトラック６５の荷台からこの投入口６２を介してホッパー６１内に廃棄物が投入される。
【００５５】
ピット５１の内面のホッパー６１の下方の部分には、図６及び図７に示すように、ピット５１の開口の周囲地盤５２から底部近傍まで延びるレール６３が鉛直に敷設され、このレール６３上を転動可能なガイドローラ６４によってバケット本体３０が上下方向に移動可能に支持されている。
【００５６】
架台５７の両ビーム部材５９、５９のピット５１の内方に延出している部分には、ウインチ２０が設けられている。ウインチ２０は、図９及び図１０に拡大図で示すように、各ビーム部材５９のピット５１の内方に延出している部分に軸線が各ビーム部材５９の軸線方向を向くように設けられるとともに、軸線周りに回転可能な円筒状の巻上ドラム２１と、各巻上ドラム２１を回転自在に支持する一対の軸受２２と、各巻上ドラム２１を回転させる駆動源（巻上モータ）と、各巻上ドラム２１に巻回される１本のワイヤ２３とを備えている。
【００５７】
各ワイヤ２３は、一端側が各巻上ドラム２１の中央よりも左側の部分（図６、図８の左側の部分）に繰出、巻上可能に巻回され、他端側が中央よりも右側の部分（図６、図８の右側の部分）に繰出、巻上可能に巻回され、両ワイヤ２３、２３の両巻上ドラム２１、２１から繰出された中央部分にバケット本体３０が吊り下げられている。
【００５８】
バケット本体３０は、図９及び図１０に示すように、角筒状のバケット上部３１と、バケット上部３１の下端に開閉自在に設けられるバケットゲート３２と、バケットゲート３２を開閉させるアクチュエータ４１と、アクチュエータ４１の駆動源とを備え、駆動源によってアクチュエータ４１を作動させることにより、バケットゲート３２を図中矢印方向に開閉させることができる。なお、本実施の形態においては、アクチュエータ４１に電動シリンダ４１を用い、駆動源によって電動シリンダ４１を伸縮させることにより、バケットゲート３２を開閉させている。
【００５９】
バケットゲート３２は、上部が開口するカップ状のものを図１０中左右に２つ割りにし、各半部３３をヒンジ３５によって支持部３１の下端に図１０中矢印方向に回転自在に連結するとともに、各半部３３と支持部３１の下端との間に電動シリンダ４１を設けたものである。バケットゲート３２の各電動シリンダ４１を作動させて、各半部３３をヒンジ３５を中心として図中矢印方向に回転させることにより、各半部３３を開閉させることができ、両半部３３、３３からなるバケットゲート３２を開閉させることができる。
【００６０】
バケット本体３０のバケット上部３１の上部の四隅には４つのシーブ４２が回転自在に設けられ、図９中手前側の２つのシーブ４２、４２とその上方の巻上ドラム２１を支持するビーム部材５９に設けられたシーブ４３との間に、その巻上ドラム２１から繰り出されたワイヤ２３の部分が掛け渡され、図９中奥側の２つのシーブ４２、４２とその上方の巻上ドラム２１を支持するビーム部材５９に設けられたシーブ４３との間に、その巻上ドラム２１から繰り出されたワイヤ２３の部分が掛け渡されている。
【００６１】
これにより、バケット３０の図９中手前側の２点と奥側の２点の４点が両巻上ドラム２１、２１から繰出した２本のワイヤ２３、２３に吊り下げられ、両巻上ドラム２１、２１の両ワイヤ２３、２３の巻上、又は繰出に追従して、４点でバケット本体３０を巻上げ、繰出すことができ、バケット本体３０を上昇又は下降させることができる。
【００６２】
バケット本体３０のバケット上部３１のピット５１の内面のレール６３に対応する部分には、図６及び図７に示すように、レール６３上を鉛直方向に移動可能な上下一対のガイドローラ６４、６４が設けられ、この一対のガイドローラ６４、６４によってバケット本体３０のバケット上部３１を上下方向に移動可能に支持することにより、バケット本体３０を円滑に上下方向に移動させることができる。
【００６３】
上記のように構成した本実施の形態の廃棄物搬入装置２によって廃棄物をピット５１内に搬入するには、ウインチ２０の両巻上ドラム２１、２１を回転させて、両巻上ドラム２１、２１に両ワイヤ２３、２３を巻上げることにより、両ワイヤ２３、２３に吊り下げられたバケット本体３０を上昇端に位置決めし、バケット本体３０のバケット上部３１の上端をホッパー６１の下端に密着させる。なお、この場合、電動シリンダ４１を作動させることにより、バケット本体３０の両半部３３、３３を閉じた状態としておく。
【００６４】
次に、廃棄物搬入台５４上にダンプトラック６５を進入させ、ダンプトラック６５の荷台を傾斜させることにより、荷台からホッパー６１の投入口６２に廃棄物を落とし込み、投入口６２からホッパー６１を介してバケット本体３０内に廃棄物を受け取る。
【００６５】
次に、ウインチ２０の両巻上ドラム２１、２１を回転させて、両巻上ドラム２１、２１から両ワイヤ２３、２３を繰り出し、両ワイヤ２３、２３に吊り下げられたバケット本体３０を下降させ、ピット５１の底部近傍にババケット本体３０を位置決めし、電動シリンダを４１作動させることによってバケット本体３０を開き、バケット本体３０の内部の廃棄物をピット５１内に投入する。
【００６６】
この場合、バケット上部３１に設けたガイドローラ６４がピット５１の内面側に設けたレール６３上を移動することにより、バケット本体３０を円滑に下降させることができる。また、ピット５１内にバケット本体３０から投入した廃棄物を、図１に示すように、ピット５１内に配置したキャリヤダンプ６６によってピット５１内の所定の位置に搬送し、その位置にキャリヤダンプ６６から廃棄物を下ろすように構成してもよい。
【００６７】
そして、ピット５１内に投入した廃棄物を、ピット５１内に配置した各種の重機（バックホウ、ブルドーザー等）によって敷き均し、転圧する作業を行うとともに、廃棄物を投入したバケット本体３０を電動シリンダ４１を作動させることによって閉じた状態とし、ウインチ２０の両巻上ドラム２１、２１を回転させることにより、両巻上ドラム２１、２１によって両ワイヤ２３、２３を巻上げ、バケット本体３０を上昇させてバケット本体３０のバケット上部３１の上端をホッパー６１の下端に密着させる。
【００６８】
そして、上記のようなダンプトラック６５の荷台から廃棄物をバケット本体３０に受け取る作業、バケット本体３０を下降させてピット５１内に廃棄物を投入する作業を繰り返し行うことにより、ピット５１内の全体に廃棄物を埋め立て処分することができる。
【００６９】
上記のように構成した本実施の形態の廃棄物搬入装置２にあっても、前記第１の実施の形態に示すものと同様に、ダンプトラック６５から直接にピット５１内に廃棄物を投入する場合のように大量の粉塵が発生するようなことはなく、作業環境が悪化するようなことはない。
【００７０】
また、ダンプトラック６５からピット５１内に廃棄物を直接に投入する場合のように、ピット５１の遮水工に傷等をつけるようなこともない。
【００７１】
さらに、ピット５１内に廃棄物を搬入するために、ダンプトラック６５を進入させる道路を建設する必要がないので、搬入道路によってピット５１の廃棄物を埋め立て処分する容積が減少することもない。
【００７２】
さらに、バケット本体３０を上下方向に移動可能に支持する架台５７は、廃棄物搬入台５４上にダンプトラック６５を進入させることが可能な高さがあればよいので、ピット５１の開口を覆う建屋（図示せず）の軒高を低くすることができ、建屋の建設に要する費用を大幅に削減することができる。
【００７３】
さらに、ホッパー１６の投入口１７を廃棄物搬入台５４よりも低い位置に設置し、このホッパー１６の下方にバケット本体３０を設け、バケット本体３０を架台５７のピット５１の内方に延出する部分の両側に設けたウインチ２０の巻上ドラム２１、２１に巻上、繰出可能に巻回したワイヤ２３に４点で吊り下げたので、ダンプトラック６５から廃棄物を投入口１７、ホッパー１６を介してバケット本体３０に受け取る際に、ワイヤ２３とダンプトラック６５とが接触するようなことはなく、廃棄物の搬入作業を効率良く行うことができる。
【００７４】
なお、前記の説明においては、ピット５１の開口の周囲地盤５２に架台５７を固定し、この架台５７にエレベータ式クレーン２を取り付けたが、架台５７をピット５１の開口の周囲地盤５２に移動可能に設置し、この架台５７にエレベータ式クレーン２を取り付けることにより、架台５７及びクレーン２を所望の位置に移動可能に構成してもよい。架台５７及びエレベータ式クレーン２を移動可能に構成することにより、ピット５１の所望の位置に廃棄物を投入することができる。
【００７５】
また、前記各実施の形態においては、１つの巻上ドラム２１に１本のワイヤ２３の一端側及び他端側を巻上、繰出可能に巻回させ、このような構成の巻上ドラム２１を２本使用することにより、バケット本体３０を４点で吊り下げたが、２本の巻上ドラムを一組として、二組（４本）の巻上ドラムを使用し、各巻上ドラムに巻上、繰出可能に巻回させた４本のワイヤによってバケット３０を４点で吊り下げてもよい。
【００７６】
さらに、図１１に示すように、２本の巻上ドラム２１ａ、２１ｂと１本のワイヤ２３とを用い、一方の巻上ドラム２１ａにワイヤ２３の一端側を巻き付け、一方の巻上ドラム２１ａから繰出したワイヤ２３の他端側を一方の巻上ドラム２１ａ側の３つのシーブに４４ａ〜４４ｃに掛け渡し、さらに、一方の巻上ドラム２１ａと他方の巻上ドラム２１ｂとの間の４つのシーブ４５ａ〜４５ｄに掛け渡し、さらに、他方の巻上ドラム２１ｂ側の３つのシーブ４６ａ〜４６ｃに掛け渡した上で他方の巻上ドラム２１ｂに巻き付け、両巻上ドラム２１ａ、２１ｂをチェーン、ギヤ等の動力伝達手段４７を介して互いに連結し、何れかの巻上ドラム２１ａ、２１ｂを駆動モータ４８に連結し、駆動モータ４８を正逆回転させることにより、動力伝達手段４７を介して両巻上ドラム２１ａ、２１ｂを正逆回転させて、両巻上ドラム２１ａ、２１ｂからワイヤ２３を繰出し、又は巻取ることにより、バケット本体３０を昇降させるように構成してもよい。
【符号の説明】
【００７７】
１  廃棄物搬入装置（旋回式クレーン）
２  廃棄物搬入装置（エレベータ式クレーン）
３  ガータ
４  ビーム部材
５  レール
６  連結部材
７  開口
８  軸受
９  レール
１０  車輪
１１  トロリ
１２  サドル
１３  サドル本体
１４  車輪
１５  開口
１６  ホッパー
１７  投入口
２０  ウインチ
２１、２１ａ、２１ｂ  巻上ドラム
２２  軸受
２３  ワイヤ
３０  バケット本体
３１  バケット上部
３２  バケットゲート
３３  半部
３５  ヒンジ
４０  アクチュエータ（油圧シリンダ）
４１  アクチュエータ（電動シリンダ）
４２、４３  シーブ
４４ａ〜４４ｃ、４５ａ〜４５ｄ、４６ａ〜４６ｃ    シーブ
４７  動力伝達手段
４８  駆動モータ
５０  廃棄物処分場
５１  ピット
５２  開口の周囲地盤
５４  廃棄物搬入台
５５  支柱
５５ａ  下部支柱
５５ｂ  上部支柱
５５ｃ、５５ｄ  軸受支持台
５５ｅ  アンカーボルト
５６  建屋
５７  架台
５８  支柱
５８ａ、５８ｂ  支柱
５９  ビーム部材
６０  連結部材
６１  ホッパー
６２  投入口
６３  レール
６４  ガイドローラ
６５  ダンプトラック
６６  キャリヤダンプ
【図１】
0005672816.tif 000002
【図２】
0005672816.tif 000003
【図３】
0005672816.tif 000004
【図４】
0005672816.tif 000005
【図５】
0005672816.tif 000006
【図６】
0005672816.tif 000007
【図７】
0005672816.tif 000008
【図８】
0005672816.tif 000009
【図９】
0005672816.tif 000010
【図１０】
0005672816.tif 000011
【図１１】
0005672816.tif 000012